(57)【要約】【課題】通常、クリップは、筆記具を衣類のポケットに収納する際や、ノートの１部に目印として挟むときに使用し、有効な手段と言える。又、筆記具を机上などに置いた場合には、クリップが筆記具の転がりを防止し、机上からの落下を防止している。しかし、筆記具の重心位置が前方にあっては、前記クリップの転がり防止効果が著しく減少し、机上から落下してしまい破損の原因ともなってしまっていた。つまり、重心位置が筆記具の前方にある為、後方に位置するクリップの机上に対する接触圧力が弱まってしまっているのである。【解決手段】筆記具又は塗布具の重心位置近傍に突起を形成した筆記具又は塗布具。【選択図】  図３
2004291491.tif 000002
【特許請求の範囲】
【請求項１】
筆記具又は塗布具の重心位置近傍に突起を形成したことを特徴とする筆記具又は塗布具。
【請求項２】
前記筆記具又は塗布具にクリップを設けると共に、そのクリップの延長線上に前記突起を形成したことを特徴とする請求項１記載の筆記具又は塗布具。
【発明の詳細な説明】
【０００１】
【発明の属する技術分野】
本発明は、筆記具又は塗布具に関するものであり、特に、転がりを防止する手段を有する筆記具又は塗布具に関する。その筆記具や塗布具の１例としては、シャープペンシルやボールペン、マーキングペンなどの筆記用具、アイライナーやネイルなどの化粧具が挙げられる。
【０００２】
【従来の技術】
１例として、ペン軸の先端部からグリップ部の中央までの間に、１５〜３０ｇの錘りをペン軸の内部に嵌め込むと共に、前記グリップ部に低温熱可塑性樹脂層を巻きつけた筆記具がある（特許文献１参照）。そして、一般的には、前記の筆記具の後部にはクリップが一体形成されていたり、別部材として固定されている。
【特許文献１】
実公平７−３２１１１号公報（請求項１、段落０００５第１行目〜同第３行目）。
【０００３】
【発明が解決しようとする課題】
通常、クリップは、筆記具を衣類のポケットに収納する際や、ノートの１部に目印として挟むときに使用し、有効な手段と言える。又、筆記具を机上などに置いた場合には、クリップが筆記具の転がりを防止し、机上からの落下を防止している。
しかし、上記の従来技術の様に、筆記具の重心位置が前方にあっては、クリップの転がり防止効果が著しく減少し、机上から落下してしまい破損の原因ともなってしまっていた。つまり、重心位置が筆記具の前方にある為、後方に位置するクリップの机上に対する接触圧力が弱まってしまっているのである。
【０００４】
【課題を解決するための手段】
そこで本発明は、筆記具又は塗布具の重心位置近傍に突起を形成したことを要旨としている。
【０００５】
【作用】
筆記具又は塗布具の転がりが開始すると、机上などの載置面に対する接触圧力の大きな部分に形成されている突起が載置面に接触する。又、クリップが設けられている塗布具にあっては、そのクリップも載置面に接触し、前記突起との相乗効果が得られる。
【０００６】
【実施例】
図１乃至図５に１例を示し説明する。本発明を筆記具に適用させた例である。軸筒１の内部には、シャープペンシルの芯繰り出し機構や、ボールペンのリフィルなどが収納・配置されるが、本実施例においては、シャープペンシルの芯繰り出し機構２が配置されている。その芯繰り出し機構２は、芯を複数本収納する芯タンク３、その芯タンク３の前方に継ぎ手４を介して芯の把持・解放を行うチャック体５、並びにそのチャック体５の開閉を行うチャックリング６などから構成されている。符号Ｓは、前記芯タンク３やチャック体５などを後方に付勢するコイルスプリングなどの弾撥部材である。
一方、前記芯タンク３の後端には消しゴム受け７が圧入・固定されており、その消しゴム受け７には、消しゴム８が座金９を介して配置されている。また、消しゴム受け７には、消しゴム８を覆うようにノックキャップ１０が着脱自在に取り付けられているが、そのノックキャップ１０の天面には貫通孔１１が形成されている。子供が誤飲した際の空気流通部（孔）となり、窒息死を極力防止することができるものとなっている。
【０００７】
前記軸筒１は、後軸１２、その後軸１２に圧入・固定された中間軸１３、その中間軸１３に圧入された金属製の前軸１４とから構成されており、その前軸１４の前端には先部材１５が螺合によって着脱自在に固定されている。また、前記中間軸１３には、前後動可能で最も大きな外径を有する駒部材１６が配置されており、その駒部材１６には後述するグリップと同様な材質で成形された滑り止め部材１７が被覆されている。そして、前記前軸１４には熱可塑性エラストマーやシリコン、ＮＢＲなどの弾性部材からなり、滑り止め効果を有するグリップ１８が挿着されている。一方、前記後軸１２にはクリップ１２ａが一体形成されているが、別部材で構成し圧入や接着、溶着などの手段によって固定しても良い。
【０００８】
ここで、前記中間軸１３は駒部材１６と同等か、若干小径な大径部２２を前方部に有しており、その大径部２２が本実施例おける塗布具の重心位置となっている。そして、その大径部２２の外周部であって、前記クリップ１２の延長線上には、前記駒部１６の外径よりも大きな外接円形を有する突起２２ａが形成されている。即ち、この重心位置に形成された突起２２ａが、本発明における転がり防止作用を果たす突起となっている。その突起２２ａは、本実施例においては、頂部が面取りされたほぼ三角形状をなしているが、図４に示すように半円板状の突起としても良く、或いは、半球状の突起などとしても良い。尚、前記前軸１４などは、中間軸１３と共に一体成形などしても良い。この様な形状の軸において、前記グリップ１８を拇指（親指）と示指（人差し指）、中指の３点で包囲するように握ると、中間軸１３は拇指と示指の間に当接し、その結果、中間軸１３の前方に位置する駒部材１６の後部（滑り止め部材１７）を拇指と示指の付け根で支えることになる。この支持力が筆記荷重の補助となり、グリップ１７の指への負担を軽減させることになる。
符号Ｎは、前記弾撥部材Ｓの前端を受ける中子であり、前記前軸１４の前端内面に挿入されているが、この中子Ｎは前軸１４前端部における補強材ともなっている。即ち、本実施例においては、前軸１４の先端に雄ねじを形成しているため、該部分の肉厚が他の部分に比し薄くなってしまっている。この薄くなった部分の内方への変形を阻止しているのである。
【０００９】
次に、前記グリップ１８について詳述する。そのグリップ１８は、上部と下部に大径部１９、２０を有しているが、上部大径部１９の方が下部大径部２０に比し若干大きなものとなっている。また、上部大径部１９の後端面には、小径筒部２１が形成されており、前記中間軸１３の中間部に形成されている大径部２２の空間部２３に嵌り込んでいる。筆記の際の筆圧による端部のめくれ、膨潤などによる膨れを防止しているのである。また、グリップ１８の内径は、前記前軸１４の外径よりも若干大経に形成されている。具体的には、前軸１４の外径よりも０．３ｍｍ大きな経となっているが、０．０ｍｍを超え１．０ｍｍ程度の範囲であればよい。ちなみに、グリップ１８の内径と前軸１４の外径との差が、１．０ｍｍを超えてしまうと、グリップを把持した際に違和感が出てきてしまう。この様にグリップの内径を若干大径にすることによって、グリップを容易に前軸に挿着することができるようになる。
さらに、グリップ１８の全長（本実施例では、小径筒部２１の長さを除いた長さを全長という。即ち、大径部２２前面への当接位置から先部材１５の縁部２５が当接開始するまでの長さを言う。）は、軸１のグリップ取付部の全長ｌよりも若干長く形成されている。即ち、グリップ１８は、中間軸１３の大径部２２と先部材１５によって圧縮された状態で挟み込まれるようになっている。具体的に、グリップ１８の全長は、グリップ取付部の全長よりも０．４ｍｍ長く形成されているが、０．０ｍｍを超え１．０ｍｍ程度の範囲であればよい。ちなみに、グリップ全長と取付部全長との差が、１．０ｍｍを超えてしまうと、先部材１５を前軸１４に締め付けた際にグリップ１８の端部が膨出してしまい、著しく見栄えを悪くしてしまう。
【００１０】
また、前記先部材１５の後端面には、円周状の溝部２４が形成されているが、その溝部２４は前方に向かって縮形する円錐溝部となっている。先部材１５に形成される縁部２５を前記グリップ１８前端面に当接部とすることによって、先部材１５のグリップ１８に対する接触面積を減少させていると共に、溝部２４の下部を肉厚部にすることによって該部分の強度を向上させているのである（図５参照）。即ち、先部材１５を前軸１４に螺着するが、この際、先部材１５の後端面とグリップ１８の前端面が接触し、そのとき、相対的な接触回転による摺動抵抗が発生するのである。この摺動抵抗を減少させているのである。尚、摺動抵抗が大きい場合には、先部材１５がグリップ１８を弾性変形させながら螺着・固定されてしまい、ややもすると、グリップ部材１８の弾性復元力によって、折角の先部材１５の前軸１４に対する固定が解除されてしまう場合もある。
【００１１】
ここで、前記駒部材１６は、軸筒１の長手方向に対して移動可能なものとなっている。以下、具体的に説明する。駒部材１６の内側には、軸筒１の軸心方向に突出し付勢された弾性を有する凸部２６が形成されており、一方、軸筒１（中間軸１３）の表面には、前記凸部２６の突出量よりも若干浅いガイド溝部２７が形成されているが、そのガイド溝部２７は連続した「く」字型をしている。所謂、スイッチバック形状のガイド溝部２７が設けられている。そして、そのガイド溝部２７の屈折部には、ガイド溝部２７よりも深い凹部２８が形成されている。これにより、使用者が駒部材１６を摺動させて調節するとき、勢い余って好みの位置を通り過ぎてしまうことはなく、確実に一定区間を摺動させることが可能となり、もって、操作性を向上させることができるものとなっている。
ここで、前記移動可能な駒部材１６に本発明である突起２２ａを形成しても良いが、使用状態如何によっては重心位置から離隔した位置に突起２２ａが位置してしまい、その結果、転がり防止効果が減少してしまう危険性があるため、好ましくは、移動不能な大径部２２に形成するのが好ましい。
【００１２】
また、本実施例におけるシャープペンシルは、芯を有効に使用できる構造のものとなっている。以下、説明する。前記前軸１４の先端に螺着された先部材１５の内部には、芯を案内すると共に芯に軽く接触するゴム材質からなるガイド部材２９が圧入・固定されており、その前方には、金属材質からなる芯保護管３０が圧入されているが、前記先部材と一体成形するなどしても良い。そして、その芯保護管３０の内側には、ゴム状部材からなり、芯の回転を阻止する芯戻り止め部材３１が挿着されている。そして、その芯戻り止め部材３１の内面には、実質的に芯と接触し、芯を保持する縦リブ３２が長手方向に放射状に形成されている（図６参照）。即ち、芯をシャープペンシルの先端で保持することによって、ガイド部材から離れた、いわいる残芯を保持することができ、その残芯によっても筆記が可能となる。ちなみに、シャープペンシルの先端に芯戻り止め部材を持たないシャープペンシルにあっては、残芯が芯保護管から自重によって落下してしまったり、また、落下はしないものの筆記の度に残芯が回転してしまったりして違和感が募り、結局、指などで引き抜いて捨ててしまうことが多い。符号３３、３４は、前記芯戻り止め部材３１の芯保護管３０からの脱落を防止するための固定リングである（図６参照）。
【００１３】
【発明の効果】
本発明は、筆記具又は塗布具の重心位置近傍に突起を形成したので、筆記具や塗布具の転がりが極力防止される。
【図面の簡単な説明】
【図１】本発明の１例を示す縦半断面図。
【図２】図１の外観斜視図。
【図３】図２の要部拡大図。
【図４】突起の変型例を示す、図３相当図。
【図５】図１の要部拡大図。
【図６】図１の要部拡大図。
【符号の説明】
１      軸筒
２      芯繰り出し機構
３      芯タンク
４      継ぎ手
５      チャック体
６      チャックリング
７            消しゴム受け
８      消しゴム
９      座金
１０    ノックキャップ
１１    貫通孔
１２    後軸
１２ａ  クリップ
１３    中間軸
１４    前軸
１５    先部材
１６    駒部材
１７    滑り止め部材
１８    グリップ
１９    大径部
２０    大径部
２１    小径筒部
２２    大径部
２２ａ  突起
２３    空間部
２４    溝部
２５    縁部
２６    凸部
２７    ガイド溝
２８    凹部
２９    ガイド部材
３０    芯保護管
３１    芯戻り止め部材
３２    縦リブ
３３    固定リング
３４    固定リング
【図１】
2004291491.tif 000003
【図２】
2004291491.tif 000004
【図３】
2004291491.tif 000005
【図４】
2004291491.tif 000006
【図５】
2004291491.tif 000007
【図６】
2004291491.tif 000008